(57)【特許請求の範囲】
【請求項１】
電気コード(2) を渦巻き状に巻回した回転胴(3) を、ケーシング(1) 内に回動自在に収納することにより、電気コード(2) をケーシング(1) 内から引き出し・引き戻しできるようにしたコードリールにおいて、
ケーシング(1) が、一端側に開口部(53)を有するケーシング本体(5) と、ケーシング本体(5) の開口部(53)に蓋をする蓋体(6) とを備え、ケーシング本体(5) が、略円筒状の周壁(51)を備えることにより、ケーシング本体(5) 内に電気コード(2) を巻回した回転胴(3) を収納する収納部(50)が区画形成され、この収納部(50)の一側方側が、回転胴(3) に渦巻き状に巻回されて周方向に漸次径大となった電気コード(2) における径大部側を収納する径大収納部(50a) をなし、収納部(50)の他側方側が、電気コード(2) の径小部側を収納する径小収納部(50b) をなし、
周壁(51)には、蓋体(6) を係止するための蓋体係止部(55)が周壁(51)から収納部(50)の径大収納部(50b) 側に突設され、収納部(50)には、回転胴(3) を回動自在に支持する支持軸(57)が備えられ、この支持軸(57)の軸芯(O1)が、径小収納部(50b) 側に配位されたものであることを特徴とするコードリール。
【請求項２】
電気コード(2) を巻回した回転胴(3) を、ケーシング(1) 内に回動自在に収納することにより、電気コード(2) をケーシング(1) 内から引き出し・引き戻しできるようにしたコードリールにおいて、
ケーシング(1) が、一端側に開口部(53)を有するケーシング本体(5) と、ケーシング本体(5) の開口部(53)に蓋をする蓋体(6) とを備え、ケーシング本体(5) が、略円筒状の周壁(51)を備えることにより、ケーシング本体(5) 内に電気コード(2) を巻回した回転胴(3) を収納する収納部(50)が区画形成され、
この周壁(51)には、周壁(51)から収納部(50)側に突設された突設部(55a) が備えられ、この突設部(55a) に、蓋体(6) を係止するための蓋体係止手段(55b) が設けられたものであることを特徴とするコードリール。
【発明の詳細な説明】
【０００１】
【発明の属する技術分野】
本願発明は、電気掃除機等の電気器具に取り付けられて使用されるコードリールの改良に関するものである。
【０００２】
【従来の技術】
従来から、電気掃除機等の電気製品に取り付けられて使用されるコードリールは、広く知られている。このコードリールは、図１１(A)(B)に示すように、電気コードｅを巻回した回転胴ｆを収納したケーシングａを備え、このケーシングａを、略円筒形状の周壁ｂ１を有するケーシング本体ｂと、ケーシング本体ｂに設けた開口部ｂ２に蓋をする蓋体ｃとから構成し、ケーシング本体ｂの周壁ｂ１の外周面に、蓋体ｃをケーシング本体ｂに係止する蓋体係止部ｄ…ｄを周壁ｂ１の外周面から外方に突出させて設けるとともに、ケーシング本体ｂ内に、回転胴ｆを回動自在に支持する支持軸ａ３を、略円筒形状を呈する周壁ｂ１の軸芯Ｏと同位置に設け、このケーシング本体ｂ内に、支持軸ａ３に回転胴ｆを通して回動自在に支持させるようにして収納した後、蓋体ｃを蓋体係止部ｄ…ｄにボルトｇを介して係止するようにしたものである。
しかしながら、このものにおいては、蓋体ｃをケーシング本体ｂに係止する蓋体係止部ｄ…ｄを、周壁ｂ２の外周面に、その外周面から外方に突出させて設けているため、このコードリールを取り付ける電気掃除機等の電気器具に、蓋体係止部ｄ…ｄを逃がすため逃がし部を形成しておかなければならず、実質的にケーシングの径Ｒが、ケーシング本体ａの軸芯Ｏから蓋体係止部ｄ…ｄの先端までの長さを半径とした大きなものになってしまっている。
【０００３】
【発明が解決しようとする課題】
本願発明は、以上の実情に鑑み提案されたもので、コードリールを取り付ける電気掃除機等の電気製品に、蓋体係止部を逃がすため逃がし部を形成する必要がなく、ケーシング全体としての径を、ケーシング本体の略周壁の径にできるコードリールの提供を図ることを第１の目的とする。
【０００４】
本願発明は、ケーシング外周面に引き出した電気コードをケーシング内に円滑に巻回して引き戻すことのできるコードリールの提供を図ることを第２の目的とする。
【０００５】
【課題を解決するための手段】
電気コード２を巻回した回転胴３を、ケーシング１内に回動自在に収納することにより、電気コード２をケーシング１内から引き出し・引き戻しできるようにしたコードリールにおいて本願発明は、以下の特徴を有するものを提供することにより上記課題を解決する。
【０００６】
本願第１の発明に係るコードリールは、ケーシング１が、一端側に開口部５３を有するケーシング本体５と、ケーシング本体５の開口部５３に蓋をする蓋体６とを備える。ケーシング本体５は、略円筒状の周壁５１を備えることにより、ケーシング本体５内に電気コード２を巻回した回転胴３を収納する収納部５０が区画形成される。この収納部５０の一側方側は、回転胴３に渦巻き状に巻回されて周方向に漸次径大となった電気コード２における径大部側を収納する径大収納部５０ａをなし、収納部５０の他側方側は、電気コード２の径小部側を収納する径小収納部５０ｂをなす。
【０００７】
そして、この周壁５１には、蓋体６を係止するための蓋体係止部５５が周壁５１から収納部５０の径大収納部５０ａ側に突設される。又、収納部５０には、回転胴３を回動自在に支持する支持軸５７が備えられ、この支持軸５７の軸芯Ｏ１が、径小収納部５０ｂ側に配位されたものである。
【０００８】
本願第２の発明に係るコードリールは、ケーシング１が、一端側に開口部５３を有するケーシング本体５と、ケーシング本体５の開口部５３に蓋をする蓋体６とを備える。ケーシング本体５は、略円筒状の周壁５１を備えることにより、ケーシング本体５内に電気コード２を巻回した回転胴３を収納する収納部５０が区画形成される。
そして、この周壁５１には、周壁５１から収納部５０側に突設された突設部５５ａが備えられる。又、この突設部５５ａに、蓋体６を係止するための蓋体係止手段５５ｂが設けられたものである。
【０００９】
以上のように構成された本願第１の発明においては、蓋体係止部５５を、回転胴３に渦巻き状に巻回されて周方向に漸次径大となった電気コード２における径大部側を収納する収納部５０の径大収納部５０ａ側に突設させるとともに、回転胴３を回動自在に支持する支持軸５７の軸芯Ｏを、収納部５０の径小収納部５０ｂ側に配位させたものとする。渦巻き状にされた電気コード２の外周は、図４に示すように最も多く巻かれた外周端側が最大径部２２となり、最大径部２２から半時計方向側に漸次径小になっており、例えば、図９に示すように収納部５０の中心Ｏと同位置に支持軸５７の軸芯Ｏ１を設けたケーシング本体５の収納部５０に、電気コード２を渦巻き状に巻回した回転胴３を収納すると、電気コード２の右側の径小部側を収納した径小収納部５０ｂでは電気コード２の外周と周壁５１の内周面との間には十分な隙間ｔ１を有するが、電気コード２の左側の径大部側を収納した径大収納部５０ａではその隙間ｔ２が狭くなる。しかも、ケーシング本体５の収納部５０における径大収納部５０ａに、蓋体係止部５５を周壁５１から径大収納部５０ａ側に突設させていると、蓋体係止部５５が邪魔になって電気コード２の径大部側を収納し難くなり、予め収納部５０の径を大きくしておかなければならず、その結果、ケーシング１自体の径が大きくなってしまう。そこで、支持軸５７を、収納部５０における径小収納部５０ｂ寄りに形成しておけば、蓋体係止部５５が邪魔になることなく電気コード２の径大部側を収納でき、ケーシング１自体の径を大きくせずに済ませることができる。
【００１０】
本願第２の発明においては、周壁５１から収納部５０側に突設された突設部５５ａを設けたものとする。電気コード２のケーシング１内への引き戻しに際し、コード出し入れ口５４から収納部５０に入った電気コード２は、遠心力によってケーシング本体５の収納部５０における電気コード２の径大部側を収納する部分５０ａの周壁５１に沿うように当接しながら巻かれる場合があり、このようにして電気コード２が巻かれると、ケーシング本体５の周壁５１との当接による抵抗によって円滑に巻回できない恐れが生じる。そこで、周壁５１から収納部５０側に突設された突設部５５ａを設けておくことで、図８に示すように遠心力によってケーシング本体５の周壁５１に沿うように入ってきた電気コード２を、突設部５５ａに当てて径内側に案内することができ、円滑に巻回できる。そして、この突設部５５ａに、蓋体６を係止するための蓋体係止手段５５ｂを設けたものとすることにより、ケーシング１から蓋体係止部５５を突出させずに済ませることができる。
【００１１】
【発明の実施の形態】
以下、図を基に本願発明の一実施形態を具体的に説明する。
図１は、本願発明の一実施形態のコードリールの正面図である。
本願発明のコードリールは、ケーシング１を備え、このケーシング１は、ケーシング本体５と、蓋体６とを備えている。
【００１２】
ケーシング本体５は、図２(A)(B)に示すように周壁５１と、底壁５２とを有し、上面側に開口部５３を有している。周壁５１は、略円筒状を呈しており、この周壁５１によって、ケーシング本体５内に断面略円形状の収納部５０が区画形成されている。又、周壁５１には、コード出し入れ口５４と、蓋体係止部５５、５５、５６とが備えられている。コード出し入れ口５４は、このケーシング本体５内に収納される後述の電気コード２をケーシング１内に出し入れするためのもので、ケーシング本体５の右後方部に、収納部５０から外部に連通するように形成されている。蓋体係止部５５、５５、５６は、蓋体６を係止するためのもので、本実施形態では、周壁５１におけるコード出し入れ口５４の手前側に設けられた厚肉状の主蓋体係止部５６と、周壁５１の左後部側と前部側との二箇所に設けられた薄肉状の副蓋体係止部５５、５５とを備えている。主蓋体係止部５６は、厚肉部５６ａと、厚肉部５６ａに形成された蓋体係止手段としてのネジ孔５６ｂとを備えている。各副蓋体係止部５５、５５は、周壁５１の一部を収納部５０側に突出させることにより形成された薄肉状の突設部５５ａと、突設部５５ａに形成された蓋体係止手段としての係止孔５５ｂとを備えている。又、係止孔５５ｂは、突設部５５ａの上面から下方側に開けられた上方開口の挿入用孔５５ｃと、挿入孔５５ｃから周方向に開けられた上方閉口の抜け止め用孔５５ｄとから構成されている。
【００１３】
又、ケーシング本体５内に区画形成された上記収納部５０には、円筒状の支持軸５７が備えられている。この支持軸５７は、後述する回転胴３を回動自在に支持するためのもので、図５に示すようにケーシング本体５の底壁５２における上面から上方側に突設されている。又、この実施形態における支持軸５７は、図２(A) に示すように  収納部５０の中心Ｏから右側に１ｍｍ程度、隔てた位置に軸芯Ｏ１を有し、収納部５０に対して偏心したものとされている。
【００１４】
蓋体６は、図３(A)(B)(C) に示すようにケーシング本体５の外周形状と略同形状を呈しており、蓋体６の中心部には、電気コード２を電気器具に通電可能に接続する電気接続部６５、６６が備えられている。この電気接続部６５、６６は、径大接続部６５と、径小接続部６６との二つから構成されている。径大接続部６５は、環状部６５ａと、電気器具に設けられた電線と結線される結線用突片６５ｂとを備えており、環状部６５ａは、蓋体６の下面側に取り付けられ、結線用突片６５ｂは、環状部６５ａから蓋体６の上面側に出されて上方に突設されている。径小接続部６６は、径大接続部６５の環状部６５ａより径小に形成された環状部６６ａと、結線用突片６６ｂとを備えている。そして、この径小接続部６６の環状部６６ａは、蓋体６の下面側における径大接続部６５の環状部６５ａの径内側に取り付けられ、結線用突片６６ｂは、環状部６６ａから蓋体６の上面側における径大接続部６５の結線用突片６５ｂの側方側に出されて上方に突設されている。又、これらの径大接続部６５及び径小接続部６６各々の環状部６５ａ、６６ａは、蓋体６に取り付けられる際に、各々の軸芯Ｏ３が蓋体６の軸芯Ｏ２より右側に１ｍｍ程度、ずらされている。
【００１５】
蓋体６の外周には、ケーシング本体５の副蓋体係止部５５、５５各々に対応する位置に、係止突片６１、６１が夫々備えられている。係止突片６１、６１各々は、蓋体６の外周一部を下方側に折り曲げ成形されることにより下方側に突設されている。又、各係止突片６１、６１の先端には、副蓋体係止部５５、５５の各々の抜け止め用孔５５ｄ、５５ｄに入り込む抜け止め片６１ａ、６１ａが備えられている。また、蓋体６の外周における右後方部には、ボルト挿通孔６３が備えられている。
【００１６】
そして、蓋体６の係止突片６１、６１各々が、ケーシング本体５の左部側、下部側各々の副蓋体係止部５５、５５の係止孔５５ｂ、５５ｂにおける挿入用孔５５ｃ、５５ｃに挿入された後、蓋体６がケーシング本体５に対して時計方向側に回転されることにより、係止突片６１、６１各々の抜け止め片６１ａ、６１ａが副蓋体係止部５５、５５の各々の抜け止め用孔５５ｄ、５５ｄに入り込んで抜け止めされる。又、抜け止め片６１ａ、６１ａが抜け止め用孔５５ｄ、５５ｄに入り込んだ状態で、蓋体６のボルト挿通孔６３とケーシング本体５のネジ孔５６とが合致し、ボルト挿通孔６３からケーシング本体５のネジ孔５６にボルト１０（図１に図示）が螺合される。これにより、蓋体６とケーシング本体５とは、ケーシング本体５の開口部５３を覆った状態で、左後部側と後部側と右後部側との三箇所で固定される。このようにしてケーシング本体５に蓋体６を取り付けたケーシング１は、コード出し入れ口５４の部分を除いてケーシング１全体を、ケーシング本体５の周壁５１の径の大きさのものにでき、従来のように電気器具に副蓋体係止部を逃がすため逃がし部を形成しておかなくても済み、コンパクトな使用便利なものにできる。
【００１７】
又、このようにして形成されたケーシング１の収納部５０には、電気コード２を巻回した回転胴３が収納されている。以下に、この収納部５０に収納された電気コード２を巻回した回転胴３について説明する。
【００１８】
回転胴３は、円盤状を呈し、図５に示すように中心部に支持軸５７に嵌挿される嵌挿孔３１を備え、この嵌挿孔３１がケーシング本体５の支持軸５７に嵌挿されることにより、回転胴３がケーシング本体５の収納部５０に回動自在に収納される。回転胴３の上面側には、図４に示すように電気コード２を巻回するための略円筒状の巻回部３２が備えられており、この巻回部３２によって、回転胴３の上面側が、径内側の接触子配設部３３と、径外側の電気コード配設部３６とに区画形成されている。接触子配設部３３には、接触子３４、３５が配設されている。これらの接触子３４、３５は、電気コード２と蓋体６の電気接続部６５、６６とを常時接続させておくためのもので、図４、図６及び図７に示すように径大接続部６５に接続される左側の径大接続部用接触子３４と、径小接続部６６に接続される右側の径小接続部用接触子３５との二つから構成されている。径大接続部用接触子３４は、回転胴３に固定される左部側の固定部３４ａと、固定部３４ａの右端から折り曲げられて斜め上方側に伸ばされた可撓性を有する二本の端子３４ｂ、３４ｂとを備えている。固定部３４ａは、本実施形態では、固定部３４ａの左端に設けられた固定片３４ｃと、位置決め用孔３４ｄとを備えている。又、この実施形態での位置決め用孔３４ｄは、嵌入孔３４ｅと、抜け止め手段とを備えている。この抜け止め手段は、嵌入孔３４ｅの周部に周方向に沿って複数の切り込みを放射状に入れることにより形成された可撓性を有する複数の抜け止め片３４ｆ…３４ｆから構成されている。二本の端子３４ｂ、３４ｂ各々の先端には、径大接続部６５の環状部６５ａを摺動する摺動部３４ｇ、３４ｇが夫々備えられている。これらの摺動部３４ｇ、３４ｇの互いの間隔は、径大接続部６５の環状部６５ａの径と同程度に形成されている。一方、径小接続部用接触子３５は、径大接続部用接触子３４と略同構成を採っている。詳しくは、固定部３５ａと、二本の端子３５ｂ、３５ｂとを備え、固定部３５ａは、固定片３５ｃと、位置決め用孔３５ｄとを備え、更に、位置決め用孔３５ｄは、嵌入孔３４ｅと、その周部に形成された可撓性を有する複数の抜け止め片３５ｆ…３５ｆから構成されているが、この径小接続部用接触子３５における端子３５ｂ、３５ｂ同士の間隔が径小接続部６６の環状部６６ａの径と同程度に形成されている。
【００１９】
そして、これらの各接触子３４、３５は、回転胴３の巻回部３１の内壁面に設けられた固定用孔３１ａ、３１ａ各々に、固定片３４ｃ、３５ｃが嵌挿されるとともに、回転胴３の接触子配設部３３に設けられた径大なピン３３ａに、嵌入孔３４ｅが押し入れられる。これにより、抜け止め片３４ｇ…３４ｇが撓んで嵌入孔３４ｅが押し広げられてピン３３ａに嵌め入れられるとともに、嵌め入れた後は、抜け止め片３４ｆ…３５ｆの弾性によりピン３３ａを押圧することによって嵌入孔３４ｅがピン３３ａから抜け止めされる。又、このようにして回転胴３に固定された径大接続部用接触子３４と径小接続部用接触子３５との二つの接触子は、ケーシング１の収納部５０内において、ケーシング本体５への蓋体６の取り付けに際し、径大接続部用接触子３４における端子３４ｂ、３４ｂの摺動部３４ｇ、３４ｇが蓋体６の径大接続部６５に下方側から当接するとともに、径小接続部用接触子３５における端子３５ｂ、３５ｂの摺動部３５ｇ、３５ｇが蓋体６の径小接続部６６に下方側から当接し、回転胴３の回動に伴って共に回動して蓋体６の径大接続部６５、径小接続部６６各々を摺動し、これにより、回転胴３が回動した場合も、径大接続部用接触子３４と径小接続部用接触子３５との二つの接触子によって常時電気コード２と蓋体６の電気接続部６５、６６とを通電できるようになされている。
【００２０】
電気コード配設部３６は、図４に示すように電気コード２を配設している。電気コード配設部３６に配設された電気コード２の内周端側は、接触子配設部３３内で接触子３４、３５各々に接続されている。電気コード２の外周端側には、ソケット２１が備えられており、接触子配設部３３内から電気コード配設部３６に出され巻回部３１に順次渦巻き状に巻回されて、回転胴３のケーシング１の収納部５０への収納に際し、コード出し入れ口５４からケーシング１外に出されている。又、このようにして渦巻き状にされた電気コード２の外周は、最も多く巻かれた外周端側が最大径部２２となり、最大径部２２から半時計方向側に行くに従って漸次径小になり、最大径部２２の手前側で最小径部２３となっており、左側の径大部側は、ケーシング本体５の収納部５０における左側の部分に配位され、右側の径小部側は、収納部５０における右側の部分に配位される。従って、ケーシング本体５の収納部５０における左後部側の部分、具体的には、略コード出し入れ口５４から収納部５０の中心Ｏを通る直径線Ｐにより収納部５０を二等分割した場合の一方で、電気コード２をコード出し入れ口５４に伸ばす側の部分が径大収納部５０ａをなし、収納部５０における上記直径線Ｐにより収納部５０を二等分割した他方の右前部側の部分が径小収納部５０ｂをなす。その際、例えば図９に示すように収納部５０の中心Ｏと同位置に支持軸５７の軸芯０１を設けたケーシング本体５に、電気コード２を渦巻き状に巻回した回転胴３を収納すると、径小収納部５０ｂでは電気コード２の外周と周壁５１の内周面との間に十分な隙間ｔ１を有するが、径大収納部５０ａではその隙間ｔ２が狭くなる。しかも、本実施形態のように電気コード２の径大部側を収納するケーシング本体５の径大収納部５０ａに、副蓋体係止部５５を径内側の収納部５０側に突設させていると、副蓋体係止部５５が邪魔になって電気コード２の径大部側を収納し難くなり、予め収納部５０の径を大きくしておかなければならず、その結果、ケーシング１自体の径が大きくなってしまう。しかし、本実施形態においては、支持軸５７の軸芯Ｏ１を、収納部５０の中心Ｏから右側の径小収納部５０ｂ側に寄せて形成しているため、副蓋体係止部５５が邪魔になることなく電気コード２の径大部側を径大収納部５０ａに収納でき、ケーシング１自体の径を大きくせずに済ませることができ、コンパクトなものにできる。
【００２１】
回転胴３の下面側には、図５に示すように径内側に配位されたゼンマイバネ４と、径外側に配位されたストップレバー３７とが付設されている。ゼンマイバネ４は、外周端が回転胴３に係止され、内周端が、支持軸５７に設けられたゼンマイバネ係止用溝５７ａに係止されることにより、回転胴３の時計方向側への回動に伴って巻き締められて回転胴３を付勢するようになされている。
【００２２】
ストップレバー３７は、基端側が回転胴３に回動自在に取り付けられ、先端下面に摺動片３７ａを備えており、回転胴３の回動に伴って摺動片３２ａが、ケーシング本体５の底壁５２における上面に設けられた図２(A) に示す径内側の引き出し用溝５２ａ、径外側の引き戻し用溝５２ｂ、これらの間に形成された係止用溝５２ｃ、５２ｃを順次摺動するようになされている。
【００２３】
次に、このコードリールの作動について、簡単に説明する。
まず、電気コード２をケーシング１から引き出すには、ソケット２１を引っ張る。これにより、回転胴３のストップレバー３７が底壁５２の引き出し用溝５２ａを摺動して回転胴３が時計方向側に回動し、この回動に伴って電気コード２が回転胴３から巻き解かれ、電気コード２をケーシング１から引き出すことができる。又、この電気コード２の引き出しに伴う回転胴３の時計方向側への回動に際し、ゼンマイバネ４が巻き締められて回転胴３を半時計方向側に付勢する。そして、電気コード２の引き出しを止めると、ゼンマイバネ４の付勢力によって回転胴３は半時計方向側に回動しようとするが、ストップレバー３７が引き出し用溝５２ａから係止用溝５２ｃに入り込んで回転胴３の回動が停止し、その状態を維持する。一方、この停止状態から電気コード２をやや引き出すと、ストップレバー３７が係止用溝５２ｃから出て引き戻し用溝５２ｂに入る。そして、この状態で、引っ張り操作している電気コード２を離すと、ゼンマイバネ４の付勢力によって回転胴３は半時計方向側に回動し始め、その回動に際してストップレバー３７が引き戻し用溝５２ｂを摺動して回転胴３は回動を続け、電気コード２を巻回する。これにより、ケーシング１から引き出した電気コード２を、ケーシング１内に引き戻すことができる。又、この電気コード２のケーシング１内への引き戻しに際し、コード出し入れ口５４から収納部５０に入ってきた電気コード２は、遠心力によってケーシング本体５の径大収納部５０ａにおける周壁５１に沿うように当接しながら巻かれる場合があり、このようにして電気コード２が巻かれると、ケーシング本体５の径大収納部５０ａの周壁５１との当接による抵抗によって円滑に巻回し難い恐れが生じる。しかし、本実施形態では、径大収納部５０ａに副蓋体係止部５５を収納部側５４側に突設させているため、図８に示すように遠心力によってケーシング本体５の径大収納部５０ａの周面に沿うように入ってきた電気コード２を、副蓋体係止部５５に当てて径内側の支持軸５７側に案内することができ、円滑に巻回できる。
【００２４】
尚、蓋体係止手段としての副蓋体係止部５５、５５やネジ孔５６の数は、適宜変更でき、例えば二つの副蓋体係止部５５、５５から構成し、或いは三つ以上の副蓋体係止部５５…５５から構成しても良く、適宜変更できる。又、副蓋体係止部５５は、周壁５１から収納部５０に突設させる形態のものに限らず、例えば図１０に示すように周壁５１の肉厚を厚くしてその周壁５１の一部に設けるようにしても良い。
【００２５】
又、本実施形態では、支持軸５７の軸芯Ｏ１を、ケーシング本体５の収納部５０の中心Ｏから径小収納部側に１ｍｍ程度偏心させているが、この偏心量は、特に限定されず、適宜変更し得る。又、支持軸５７は、ケーシング本体５の収納部５０の中心Ｏから偏心させるものに限らず、例えば図９に示すように支持軸５７の軸芯Ｏ１を、ケーシング本体５の収納部５０の中心Ｏに一致させて設けても良い。ただし、その場合は、上述のように副蓋体係止部５５をケーシング本体５の径大収納部５０ａに突設させると、電気コード２を収納し難くなってケーシング本体５の収納部５０の径を予め大きくしておく必要が生じるので、上記実施形態のように支持軸５７を、ケーシング本体５の収納部５０の径小収納部５０ｂ側に寄せて収納部５０に対して偏心させておくのが好ましい。
【００２６】
【発明の効果】
以上、本願第１の発明は、蓋体係止部５５を収納部５０側に突設させるとともに、回転胴３を回動自在に支持する支持軸５７を、収納部５０の中心Ｏから間隔を隔てた位置に設けたものとすることにより、蓋体係止部５５が邪魔になることなく電気コード２の径大部側を収納でき、ケーシング１自体の径を大きくせずに済ませることができる。又、電気コード２のケーシング１内への引き戻しに際し、遠心力によってケーシング本体５の周壁５１に沿うように入ってきた電気コード２を、蓋体係止部５５に当てて径内側に案内することができ、円滑に巻回できる。
【００２７】
本願第２の発明は、周壁５１から収納部５０側に突設された突設部５５ａを設けておくことで、遠心力によってケーシング本体５の周壁５１に沿うように入ってきた電気コード２を、突設部５５ａに当てて径内側に案内することができ、円滑に巻回できる。そして、この突設部５５ａに、蓋体６を係止するための蓋体係止手段５５ｂを設けたものとすることにより、ケーシング１から蓋体係止部５５を突出させずに済ませることができる。
【図面の簡単な説明】
【図１】本願発明のコードリールの一実施形態の正面図である。
【図２】(A) は、ケーシング本体の正面図、(B) は、その側面図である。
【図３】(A) は、蓋体の正面図、(B) は、その側面図、(C) は、その底面図である。
【図４】蓋体を外した状態のコードリールの正面図である。
【図５】図１のV −V 線断面図である。
【図６】(A) は、径大接続部用接触子の正面図、(B) は、図６(A) のVI−VI線断面図である。
【図７】(A) は、径小接続部用接触子の正面図、図７(A) のVII −VII 線断面図である。
【図８】ケーシング外に引き出した電気コードを引き戻す際の説明図である。
【図９】ケーシング本体の他の実施形態を示す正面図である。
【図１０】ケーシング本体の更に他の実施形態を示す正面図である。
【図１１】(A) は、従来例を示す正面図、(B) は、図１１(A) のI −I 線断面図である。
【符号の説明】
１          ケーシング
２          電気コード
３          回転胴
５          ケーシング本体
６          蓋体
５０        収納部
５１        周壁
５５        蓋体係止部
５７        支持軸
【図１】
0003543058.tif 000002
【図２】
0003543058.tif 000003
【図３】
0003543058.tif 000004
【図４】
0003543058.tif 000005
【図５】
0003543058.tif 000006
【図６】
0003543058.tif 000007
【図７】
0003543058.tif 000008
【図８】
0003543058.tif 000009
【図９】
0003543058.tif 000010
【図１０】
0003543058.tif 000011
【図１１】
0003543058.tif 000012